(57)【特許請求の範囲】
【請求項１】
転写物を転写するための転写ヘッドを有した転写具本体と、
この転写具本体にスライド可能に保持されたスライダーと、
このスライダーに支持され、前記転写ヘッドを覆い隠す形状を有したキャップとを備えたものであり、
前記スライダーのスライド操作に伴わせて、前記キャップを前記転写ヘッドを被覆する被覆位置と前記転写ヘッドから退避した使用位置との間で位置変更させる案内機構とを備えているものであり、
前記キャップが、前記スライダーに対して回動可能に支持されたものであり、
前記案内機構が、前記キャップ又は前記転写具本体の何れか一方に形成された突出部と、他方に形成され前記突出部に係わり合う突出部当接部とを備えたものである転写具。
【請求項２】
前記突出部が前記キャップに形成されたものであり、前記突出部当接部が前記転写具本体に形成された案内溝である請求項１記載の転写具。
【請求項３】
前記転写具本体が、内部に転写物を収容した本体ケースと、この本体ケースの前側に突出して配された前記転写ヘッドとを備えたものであり、
前記キャップが、前記被覆位置において前記転写ヘッドの左右両側に位置するとともに後端縁が前記本体ケースの前端縁に沿うように形成された側壁を備えている請求項１又は２記載の転写具。
【請求項４】
前記スライダーが、前記転写具本体の上側の部位に保持されている請求項１、２又は３記載の転写具。
【請求項５】
前記スライダーが、前記被覆位置と前記使用位置において前記転写具本体に対して節度係合し得るように構成されている請求項１、２、３又は４記載の転写具。
【発明の詳細な説明】
【技術分野】
【０００１】
本発明は、転写物を転写するための転写具に関する。
【背景技術】
【０００２】
従来から、不使用時において、転写ヘッドを覆うためのキャップを備えてなる転写具が知られている（例えば、特許文献１を参照）。
【０００３】
ところで、不使用時において、転写ヘッドが外部の物品等に接触してしまうのを比較的簡易な操作によって抑制できるようにしたものとして、本体ケースに対してスライドする湾曲片状の部材を設けた転写具なども存在する。かかる転写具は、片状の部材をスライド移動させることにより、当該片状の部材を転写ヘッドの転写方向側に位置させるようにしている。
【０００４】
ところが、このようなものは、転写ヘッドの略全体を覆い得るものとはなっていなかったので、外部の埃やゴミが転写ヘッドに付着してしまうことを必ずしも十分に回避できるものとはなっていなかった。
【先行技術文献】
【特許文献】
【０００５】
【特許文献１】特開２００５−１９３４１０号公報
【発明の概要】
【発明が解決しようとする課題】
【０００６】
本発明は、以上のような事情に着目してなされたもので、キャップをスライド操作することにより、転写ヘッドを好適に覆い得る設計の自由度に優れた転写具を提供することにある。
【課題を解決するための手段】
【０００７】
すなわち、本発明は次の構成をなしている。
【０００８】
請求項１の転写具は、転写物を転写するための転写ヘッドを有した転写具本体と、この転写具本体にスライド可能に保持されたスライダーと、このスライダーに支持され、前記転写ヘッドを覆い隠す形状を有したキャップとを備えたものであり、前記スライダーのスライド操作に伴わせて、前記キャップを前記転写ヘッドを被覆する被覆位置と前記転写ヘッドから退避した使用位置との間で位置変更させる案内機構とを備えているものであり、前記キャップが、前記スライダーに対して回動可能に支持されたものであり、前記案内機構が、前記キャップ又は前記転写具本体の何れか一方に形成された突出部と、他方に形成され前記突出部に係わり合う突出部当接部とを備えたものである。
【００１０】
請求項２の転写具は、請求項１記載の構成において、前記突出部が前記キャップに形成されたものであり、前記突出部当接部が前記転写具本体に形成された案内溝である。
【００１１】
請求項３の転写具は、請求項１又は２記載の構成において、前記転写具本体が、内部に転写物を収容した本体ケースと、この本体ケースの前側に突出して配された前記転写ヘッドとを備えたものであり、前記キャップが、前記被覆位置において前記転写ヘッドの左右両側に位置するとともに後端縁が前記本体ケースの前端縁に沿うように形成された側壁を備えているものである。
【００１２】
請求項４の転写具は、請求項１、２又は３記載の構成において、前記スライダーが、前記転写具本体の上側の部位に保持されているものである。
【００１３】
請求項５の転写具は、請求項１、２、３又は４記載の構成において、前記スライダーが、前記被覆位置と前記使用位置において前記転写具本体に対して節度係合し得るように構成されている。
【発明の効果】
【００１４】
以上説明したように本発明によれば、キャップをスライド操作することにより、転写ヘッドを好適に覆い得る設計の自由度に優れた転写具を提供することができるものとなる。
【図面の簡単な説明】
【００１５】
【図１】本発明の一実施形態を示す右側面図。
【図２】同実施形態における右側面図。
【図３】同実施形態における左側面図。
【図４】同実施形態における左側面図。
【図５】同実施形態における平面図。
【図６】同実施形態における正面図。
【図７】同実施形態における分解斜視図。
【図８】図３におけるＡ−Ａ線断面図。
【図９】同実施形態のキャップを説明するための斜視図。
【図１０】同実施形態のスライダーを説明するための斜視図。
【発明を実施するための形態】
【００１６】
以下、本発明の一実施形態を、図１〜１０を参照して説明する。
【００１７】
この実施形態は、本発明を、転写物である糊（図示せず）を用紙等の転写対象面に対して転写するための転写具Ｔに適用したものである。この転写具Ｔは、比較的小型のもので、例えば、かばん類に収納される一般的な大きさのペンケースの中に収容され得る大きさに設定されている。
【００１８】
転写具Ｔは、糊を転写するための転写ヘッド１２を有した転写具本体１と、この転写具本体１にスライド可能に保持されたスライダー２と、このスライダー２に支持され、前記転写ヘッド１２を覆い隠す形状を有したキャップ３とを備えている。この転写具Ｔは、前記スライダー２の前後方向へのスライド操作に伴わせて、前記キャップ３を前記転写ヘッド１２を被覆する被覆位置（Ｃ）と前記転写ヘッド１２から退避した使用位置（Ｕ）との間で位置変更させる案内機構Ｇを備えている。
【００１９】
以下、この転写具Ｔについて詳述する。
【００２０】
転写具本体１は、内部に転写物である糊を保持した転写テープＰを収容した本体ケース１１と、この本体ケース１１の前側に前方に向かって突出して配された転写ヘッド１２とを備えたものである。
【００２１】
本体ケース１１は、図１及び図２に示すように、内部において、転写テープＰを繰り出すための繰出リールｍと、この繰出リールｍから繰り出されるとともに転写ヘッド１２の転写ロール１２１を経由した転写テープＰを巻き取るための巻取リールｎを回転可能に支持している。
【００２２】
本体ケース１１の内部に配された繰出リールｍは、繰出ギアｍｇを一体に保持している。巻取リールｎは、前記繰出ギアｍｇに噛合する巻取ギアｎｇに支持されている。そして、繰出ギアｍｇ、及び、巻取ギアｎｇを主体にして、繰出リールｍ、及び、巻取リールｎを連動して回転させるための連動機構Ｒを構成している。なお、連動機構Ｒは、通常のものであるため、詳細な説明を省略する。繰出リールｍ、及び、巻取リールｎに巻回される転写テープＰは、フィルム状の基材の一面側に転写物である糊を添付してなる通常のものである。
【００２３】
本体ケース１１は、合成樹脂製のものであり、左右の側壁１１１、１１２と、この左右の側壁１１１、１１２の上端縁部間に配された上壁１１３と、前記左右の側壁１１１、１１２の後端縁部間に配された後壁１１４と、前記左右の側壁１１１、１１２の下端縁部間に配された下壁１１５とを備えている。本体ケース１１は、その先端部に、転写テープＰを転写ヘッド１２の転写端たる転写ロール１２１に導出するとともに、転写ロール１２１を経由した前記転写テープＰを本体ケース１１の内部に導入するための開口部１１ａを有している。
【００２４】
この実施形態では、本体ケース１１は、右の側壁１１２を有した第一ケースｃ１と、左の側壁１１１、上壁１１３、後壁１１４、及び、下壁１１５を有した第二ケースｃ２とによって構成されている。これら第一ケースｃ１と第二ケースｃ２とを組み合わせることにより、繰出リールｍ、及び、巻取リールｎを収容し得る内部空間を有した本体ケース１１が形成されるようになっている。
【００２５】
左の側壁１１１は、その前端に、被覆位置（Ｃ）におけるキャップ３の後端縁たる開口端縁３ａが当接又は近接し得る左の前端縁１１１ａを有している。左の前端縁１１１ａは、本体ケース１１の開口部１１ａを構成するものである。
【００２６】
右の側壁１１２は、その前端に、被覆位置（Ｃ）におけるキャップ３の後端縁たる開口端縁３ａが当接又は近接し得る右の前端縁１１２ａを有している。右の前端縁１１２ａは、本体ケース１１の開口部１１ａを構成するものである。
【００２７】
右の側壁１１２は、上縁側における後部から前端部に亘って連続する凹み領域１１２ｂを備えている。凹み領域１１２ｂは、正面視において中央側に凹んだ部位であり、スライダー２やキャップ３の右側の部位が配される領域をなしている。すなわち、凹み領域１１２ｂに、スライダー２の横壁２２、及び、キャップ３の右側の側壁３１を配することができるようにして、前記横壁２２の外面、及び、前記右側の側壁３１の外面を、本体ケース１１における右の側壁１１２の主たる外面と略面一にさせている。
【００２８】
右の側壁１１２には、凹み領域１１２ｂに対応する位置に、スライダー２、及び、キャップ３を案内するための突出部当接部たる案内溝Ｍが形成されている。案内溝Ｍは、後述する案内機構Ｇを構成するものである。案内溝Ｍは、側面視においてＬ字状をなすものであり、本体ケース１１の上壁１１３に略沿うように前後方向に延びてなる前後溝ｍ１と、この前後溝ｍ１の前端に連続して形成され、下方に向かって屈曲する屈曲溝ｍ２と、この屈曲溝ｍ２の前端に連続して形成され、上下方向に延びる上下溝ｍ３とを備えたものである。上下溝ｍ３は、前後溝ｍ１よりも短寸のものである。
【００２９】
上壁１１３は、その前端に、被覆位置（Ｃ）におけるキャップ３の後端縁たる開口端縁３ａが当接又は近接し得る前端縁１１３ａを有している。上壁１１３の前端縁１１３ａは、本体ケース１１の開口部１１ａを構成するものである。
【００３０】
上壁１１３は、スライダー２を前後方向にスライド可能に支持するためのスライダー支持部Ｊと、このスライダー支持部Ｊと略平行に配されたスライダー２の姿勢保持用のスライド補助部Ｈと、前縁部付近に配された左右方向に延びるキャップ係止部Ｋを備えている。
【００３１】
スライダー支持部Ｊは、前後方向に延びる溝状のものである。スライダー支持部Ｊは、スライダー２に設けられた本体係合部たる突出部２３と係わり合い、スライダー２を本体ケース１１に対してスライド可能に支持し得るものである。
【００３２】
スライダー支持部Ｊは、スライダー２の突出部２３が本体ケース１１から離脱し難いように構成されている。すなわち、スライダー支持部Ｊは、外部に表出するスリット状の開口部ｊ１の幅よりも、内側に形成された内部溝ｊ２の幅を広く形成させてある。一方、スライダー２における突出部２３は、先端に設けられた幅広部分２３１と、この幅広部分２３１よりも左右方向に幅狭な基端部分２３２とを備えている。そして、スライダーの幅広部分２３１が前記スライダー支持部Ｊの内部溝ｊ２に位置するように構成されている。
【００３３】
スライダー支持部Ｊの開口部ｊ１は、前後方向に延びるスリット状のものであり、その後部側に、スライダー２における突出部２３の幅広部分２３１を内部溝ｊ２側に挿通させるための挿通部ｊ１１を備えている。挿通部ｊ１１は、隣接する前後の部分よりも、若干幅広の離間空間を形成したものである。
【００３４】
内部溝ｊ２は、突出部２３の先端に形成された幅広部分２３１が配される部分である。内部溝ｊ２には、前側の部分に内方に向かって突出する前側の突出部ｔ１を有しているとともに、後側の部分に内方に向かって突出する後側の突出部ｔ２を有している。前側の突出部ｔ１は、キャップ３が被覆位置（Ｃ）にあるときにスライダー２の幅広部分２３１が節度係合し得る部分となり、スライダー２の後方への移動を規制するものである。このようにすることで、キャップ３は被覆位置（Ｃ）にある状態が保持されるようになっている。後側の突出部ｔ２は、キャップ３が使用位置（Ｕ）にあるときにスライダー２の幅広部分２３１と節度係合し得る部分となり、スライダー２の前方への移動を規制するものである。このようにすることで、キャップ３は使用位置（Ｕ）にある状態が保持されるようになっている。なお、後側の突出部ｔ２は、略四分の一円柱状に内方に向かって突出した形状をなしている。すなわち、突出部ｔ２における前側（前側の突出部ｔ１を向く側）は曲面状の外面を有するように構成されているとともに突出部ｔ２における後側は後方を向く平面状の外面を有するように構成されている。このように後側の突出部ｔ２を構成することにより、キャップ３を被覆位置（Ｃ）から使用位置（Ｕ）に遷移させる場合と、キャップ３を使用位置（Ｕ）から被覆位置（Ｃ）に遷移させる場合とによって、スライダー２との係わり度合いを変化させている。すなわち、キャップ３を被覆位置（Ｃ）から使用位置（Ｕ）に遷移させる際は、スライダー２は突出部ｔ２の曲面状の外面と係わり合うため、そのスライド操作は、比較的滑らかに行うことができるようになっている。その一方で、キャップ３を使用位置（Ｕ）から被覆位置（Ｃ）に遷移させる際は、スライダー２は突出部ｔ２の平面状の外面と係わり合うため、そのスライド操作（特にスライド開始段階）は、使用者に比較的大きなスライド力を要求させるようになっている。つまり、この実施形態におけるスライダー２は、前記突出部ｔ２と係わり合うことにより、キャップ３が使用位置（Ｕ）にある状態を好適に保持することができるようになっており、安易にキャップ３が被覆位置（Ｃ）に移動することを抑制するものとなっている。
【００３５】
スライド補助部Ｈは、上壁１１３に形成された前後方向に延びる溝状のものである。スライド補助部Ｈは、スライダー２のスライド突起２１２と係わり合うようになっている。これにより、スライダー２が、上壁１１３に対して左右方向に回転してしまうこと、すなわち、ぶれ動くことが抑制されるものとなり、前後方向へのスライド姿勢を好適に保持できるようになっている。
【００３６】
キャップ係止部Ｋは、上壁１１３の前縁部付近に形成されたもので、左右方向に延びてなり上向きに開口した溝状のものである。キャップ係止部Ｋは、使用者が誤ってキャップ３を下方に押圧してキャップ３を使用位置（Ｕ）から被覆位置（Ｃ）に向かって操作した場合に、キャップ３の端縁すなわち下壁３３の後端縁３３ｅが一時的に係止し得る部位となっている。
【００３７】
下壁１１５は、前端に、被覆位置（Ｃ）におけるキャップ３の後端縁たる開口端縁３ａがが当接又は近接し得る前端縁１１５ａを有している。下壁１１５の前端縁１１５ａは、本体ケース１１の開口部１１ａを構成するものである。
【００３８】
転写ヘッド１２は、転写物を転写対象物に押し付けて転写するためのものである。転写ヘッド１２は、糊が添付された転写テープＰを転写対象面に対して押し付ける転写端たる転写ロール１２１と、この転写ロール１２１の両側を回動可能に支持する板状をなす左右の支持部１２２とを主体に構成されたものである。左右の支持部１２２は、図示しない横架フレームに支持されており、当該横架フレームに支持された左右の支持部１２２は、第一ケースｃ１と合成樹脂により一体に形成されている。転写ヘッド１２の正面視における左右方向の幅寸法は、本体ケース１１の対応する幅寸法よりも小さく設定されている。
【００３９】
次いで、スライダー２について説明する。
【００４０】
スライダー２は、合成樹脂製のものであり、操作者の指による操作を受けて前後方向にスライド移動し得るものである。スライダー２は、前記転写具本体１の上側の部位、すなわち、本体ケース１１の上部に保持されている。スライダー２は、本体ケース１１の上壁１１３の上に位置するとともに上壁１１３に沿う板状をなしたスライダー本体２１と、このスライダー本体２１の右側の端縁から下方に向かって延出した横壁２２と、前記スライダー本体２１から下側に突設された本体係合部たる突出部２３と、前記スライダー本体２１の前端部に設けられキャップ３に設けられた回転軸ｘを回動可能に支持するための軸支持部２４とを備えている。
【００４１】
スライダー本体２１は、下面側に突出して形成され本体ケース１１の上壁１１３と摺接し得るための前後方向に延びるレール２１１と、下面側に突出して形成されスライド補助部Ｈと係わり合うスライド突起２１２とを備えている。また、スライダー本体２１には、その上面側に、操作者に対してスライド方向を促すとともに指の滑り止め機能を兼ねた凹凸部分を有する表示部２１３が設けられている。スライダー本体２１の下面側における左右方向中間部には、上壁１１３のスライダー支持部Ｊと係わり合う突出部２３が下方に突出する態様で設けられている。
【００４２】
横壁２２は、スライダー本体２１における右側の端縁から下方に向かって延びたものである。横壁２２は、本体ケース１１における右の側壁１１２の上縁部に形成された凹み領域１１２ｂに配されるようになっている。横壁２２は、内面側に前後方向に延びるレール状の突起２２１を備えている。この突起２２１は、本体ケース１１に形成された案内溝Ｍの前後溝ｍ１と係わり合うようになっている。これにより、スライダー２が上壁１１３に対して上下方向に回転し難いものすなわちぶれ動き難いものとなり、前後方向へのスライド姿勢が安定保持できるようになっている。
【００４３】
突出部２３は、本体ケース１１のスライダー支持部Ｊと係わり合うものである。突出部２３は、先端部に設けられスライダー支持部Ｊの内部溝ｊ２内に配される幅広部分２３１と、基端部に設けられスライダー支持部Ｊの開口部ｊ１内に配される基端部分２３２とを備えている。突出部２３は、幅広部分２３１が内部溝ｊ２内に位置することにより、本体ケース１１から離脱することを抑制する機能を発揮している。
【００４４】
軸支持部２４は、スライダー本体２１の前端部に設けられている。軸支持部２４は、キャップ３に設けられた回転軸ｘを回動可能に支持するためのものであり、前記回転軸ｘの下側を支持する下アーム部材２４１と、前記回転軸ｘの上側を支持する上アーム部材２４２とを備えている。上アーム部材２４２は、先端側に矩形平板状の閉塞部材２４２ａを備えている。閉塞部材２４２ａは、被覆位置（Ｃ）において、キャップ３の回転軸ｘを支持している左右の軸支持部３５間に形成される隙間ｓｋを閉塞し得るものとなっている。この隙間ｓｋは、キャップ３の内部空間ｓｐと外部空間とを連通し得るものであり、この隙間ｓｋを閉塞部材２４２ａにより閉塞することで、前記内部空間ｓｐを閉塞し、外部からの異物が侵入することを抑制している。
【００４５】
続いて、キャップ３について説明する。
【００４６】
キャップ３は、合成樹脂製のものであり、本体ケース１１及びスライダー２と協働して、転写ヘッド１２の全体を隙間の抑制された状態で覆うことができる立体的形状のものである。キャップ３は、被覆位置（Ｃ）においてその内部空間ｓｐに転写ヘッド１２を位置させることができ、当該転写ヘッド１２の前側、左右側、及び、上下側を覆い得るものであり、外部から内部空間ｓｐに向かって埃やゴミの侵入を抑制することができるものである。キャップ３は、前記スライダー２に対してヒンジ部を介して回動可能に支持されているとともに、本体ケース１１に対してスライド可能に係わり合っている。キャップ３は、被覆位置（Ｃ）において、後方に位置する開口端縁３ａを有しており、被覆位置（Ｃ）において、本体ケース１１の開口部１１ａと略一致するように設定されている。また、キャップ３は、使用位置（Ｕ）において、開口端縁３ａが、本体ケース１１の上壁１１３に添接又は近接するようになっている。
【００４７】
キャップ３は、左右の側壁３０、３１と、これら左右の側壁３０、３１の前端部間に設けられ被覆位置（Ｃ）において転写ヘッド１２の前側に配された前壁３２と、前記左右の側壁３０、３１の下端部間に設けられ被覆位置（Ｃ）において転写ヘッド１２の下側に配された下壁３３と、前記左右の側壁３０の上端部間に設けられ被覆位置（Ｃ）において転写ヘッド１２の上側に配された上壁３４と、上壁３４の外面側に突設された壁状の左右の軸支持部３５と、これら左右の軸支持部３５間に架設された左右方向に延びる回転軸ｘとを備えている。
【００４８】
右の側壁３１は、内側に向かって突出し本体ケース１１の案内溝Ｍに係わり合う突出部ｇを備えている。より具体的に言えば、右の側壁３１は、被覆位置（Ｃ）において後方に向けて凸状に延出した延出壁部３１ａを有し、この延出壁部３１ａの内面に、内側に向かって突出し本体ケース１１の案内溝Ｍに係わり合う円柱状の突出部ｇが配されている。
【００４９】
キャップ３は、左右の側壁３０、３１、前壁３２、下壁３３、及び、上壁３４を主体にして、内側に転写ヘッド収容空間である内部空間ｓｐを形成している。左右の側壁３０、３１は、前記被覆位置（Ｃ）において前記転写ヘッド１２の左右両側に位置するとともに後端縁３０ｅ、３１ｅが前記転写具本体１の本体ケース１１の前縁すなわち左の前端縁１１１ａ及び右の前端縁１１２ａに沿うように形成されている。なお、右の側壁３１の一部、すなわち、上側の後端縁３１ｅは、被覆位置（Ｃ）においてスライダー２の横壁２２の前端縁２２ｅに沿うように形成されている。上壁３４は、前記被覆位置（Ｃ）において前記転写ヘッド１２の上側に位置するとともに後端縁３４ｅが前記転写具本体１の本体ケース１１の前縁すなわち上壁１１３の前端縁１１３ａに沿うように形成されている。下壁３３は、前記被覆位置（Ｃ）において前記転写ヘッド１２の下側に位置するとともに後端縁３３ｅが前記転写具本体１の本体ケース１１の前縁すなわち下壁１１５の前端縁１１５ａに沿うように形成されている。上壁３４は、回転軸ｘを臨む位置に切欠部３４１が形成されている。
【００５０】
この転写具Ｔは、スライダー２の前後方向のスライド操作に伴わせて、キャップ３を前記転写ヘッド１２を被覆する被覆位置（Ｃ）と前記転写ヘッド１２から退避した使用位置（Ｕ）との間で位置変更させる案内機構Ｇを備えている。以下、案内機構Ｇについて説明する。
【００５１】
案内機構Ｇは、キャップ３に設けられた円柱状の突出部ｇと、転写具本体１の本体ケース１１に形成され前記突出部ｇに係わり合う前側において下方に屈曲した形状をなす案内溝Ｍとを主体に構成されている。
【００５２】
使用位置（Ｕ）にあるキャップ３を被覆位置（Ｃ）に位置変更する際の動作を説明すれば次のとおりである。
【００５３】
スライダー２を、指により前方にスライドすることにより、このスライダー２の前側に位置し、当該スライダー２に回動可能に支持されたキャップ３は、スライダー２とともに本体ケース１１上をスライドし前方に向かって移動する。このとき、キャップ３の突出部ｇは、本体ケース１１の案内溝Ｍの前後溝ｍ１と係わり合っており、使用位置（Ｕ）の姿勢を概ね保持したまま前側に遷移することとなる。
【００５４】
次いで、キャップ３の突出部ｇが、案内溝Ｍの屈曲溝ｍ２に達すると、カム作用により、円柱状の突出部ｇが屈曲溝ｍ２に沿って下方に案内され、キャップ３は、スライダー２に保持された回転軸ｘを中心にして下方に回転する。
【００５５】
しかる後に、キャップ３の突出部ｇが、案内溝Ｍの上下溝ｍ３に達すると、キャップ３は、使用位置（Ｕ）における姿勢に対して略９０°下向きに旋回した姿勢をとり、開口縁部３ａが本体ケース１１の開口部１１ａに略一致する被覆位置（Ｃ）に位置することになる。
【００５６】
被覆位置（Ｃ）にあるキャップ３は、その開口端縁３ａが本体ケース１１の開口部１１ａと当接又は近接することになり、外部から埃やゴミが侵入することが抑制されるとともに糊が乾くことが抑制される。また、キャップ３の軸支持部３５間の隙間ｓｋには、スライダー２に設けられた閉塞部材２４２ａが配されることになり、外部から埃やゴミが侵入することが抑制される。
【００５７】
被覆位置（Ｃ）にあるキャップ３を使用位置（Ｕ）に位置変更する際の動作は、前述した順序の逆の順序を経て行われることになる。
【００５８】
以上説明したように、本実施形態に係る転写具Ｔは、転写物たる糊を転写するための転写ヘッド１２を有した転写具本体１と、この転写具本体１にスライド可能に保持されたスライダー２と、このスライダー２に支持され、前記転写ヘッド１２を覆い隠す形状を有したキャップ３とを備えたものである。そして、前記スライダー２のスライド操作に伴わせて、前記キャップ３を前記転写ヘッド１２を被覆する被覆位置（Ｃ）と前記転写ヘッド１２から退避した使用位置（Ｕ）との間で位置変更させる案内機構Ｇを備えている。このため、キャップ３をスライド操作することにより、転写ヘッド１２を好適に覆うための設計の自由度に優れた転写具Ｔを提供することができるものとなる。すなわち、キャップ３が転写ヘッド１２を覆い隠す形状を有したものであるため、転写ヘッド１２を好適に覆うものとなっている。さらに、キャップ３を、スライダー２のスライド操作に伴わせて被覆位置（Ｃ）と使用位置（Ｕ）との間で位置変更させる案内機構Ｇを有しているため、所定の形状を有したキャップ３をスライダー２のスライド操作という簡単な操作によって位置変更させることができるものとなっている。キャップ３は、転写ヘッド１２を好適に覆うものであるため、被覆位置（Ｃ）において外部から埃やゴミの侵入が抑制され、転写ヘッド１２に埃やゴミが付着することが低減されるものとなっている。さらに、キャップ１２は、転写ヘッド１２を好適に覆うものであるため、被覆位置（Ｃ）において転写物たる糊が誤転写されることが好適に抑制されるものとなっている。しかも、キャップ１２は、転写ヘッド１２を好適に覆うものであるため、被覆位置（Ｃ）において転写物たる糊が乾燥することを好適に抑制し得るものとなる。
【００５９】
また、この実施形態では、転写具本体１に、キャップ３を支持したスライダー２を保持させることにより、所期の目的を達成することができるものとなっている。このため、この実施形態における転写具Ｔであれば、転写ヘッド１２を被覆するための必要な部品点数が抑制されたものとなっており、且つ、転写ヘッド１２を被覆するための手段を簡易な構造で実現できるものとなっている。
【００６０】
前記キャップ３が、前記スライダー２に対して回動可能に支持されている。そして、前記案内機構Ｇが、前記キャップ３に形成された突出部ｇと、転写具本体１に形成され前記突出部ｇに係わり合う突出部当接部たる案内溝Ｍとを備えている。このため、案内溝Ｍが転写具本体１に形成されるものとなるため、一定の長さを有した案内溝Ｍを強度に優れた態様で形成し易いものとなっている。
【００６１】
前記転写具本体１が、内部に転写物を収容した本体ケース１１と、この本体ケース１１の前側に突出して配された前記転写ヘッド１２とを備えたものとなっている。そして、前記キャップ３が、前記被覆位置（Ｃ）において前記転写ヘッド１２の左右両側に位置するとともに後端縁３０ｅ、３１ｅが前記本体ケース１１の前端縁１１１ａ、１１２ａに沿うように形成された側壁３０、３１を備えている。このため、被覆位置（Ｃ）においてキャップ３の側壁３０、３１が本体ケース１１の前端縁１１１ａ、１１２ａに密接又は近接し得るものとなるため、内部空間ｓｐを外部から遮断するための構造を実現し易いものとなっている。
【００６２】
前記スライダー２が、前記転写具本体１の上側の部位に保持されている。このため、キャップ３が使用位置（Ｕ）において、転写具本体１の上側に位置するものとなるため、使用時において、キャップ３が邪魔になることを好適に抑制することができるものとなっている。しかも、使用者は、転写具本体１の上側に配されたスライダー２をスライドさせることにより、キャップ３を被覆位置（Ｃ）から使用位置（Ｕ）に移行させ、その状態からすぐに転写作業を開始することが可能となる。より具体的に言えば、使用者は、例えば、人差し指又は親指を使って、スライダー２をスライドさせてキャップ３を使用位置（Ｕ）に移行し、スライダー２上に前記人差し指又は親指を置いた状態で、そのまま転写作業を開始することができるものとなる。したがって、この転写具Ｔであれば、使用者のワンアクションによって、キャップ３を被覆位置（Ｃ）から使用位置（Ｕ）に移行させるとともに転写作業を開始し得るものとなり、使い勝手に優れたものとなる。
【００６３】
前記スライダー２が、前記被覆位置（Ｃ）と前記使用位置（Ｕ）において前記転写具本体１に対して節度係合し得るように構成されている。このため、スライダー２及びキャップ３が、被覆位置（Ｃ）を好適に維持することができるとともに、使用位置（Ｕ）を好適に維持することができるものとなっている。
【００６４】
なお、本発明は、以上に詳述した実施形態に限られるものではない。
【００６５】
転写具は、転写物を転写対象物に転写するものであればどのようなものであってもよい。換言すれば、転写物は、本実施形態に示された糊に限られるものではなく、例えば、修正用の修正剤（修正テープ）や装飾用の装飾剤（装飾テープ）であってもよい。更に、転写具は、必ずしも転写テープを利用したものに限られるものではなく、例えば、転写ローラを介してインクや糊を塗布するものであってもよい。
【００６６】
転写端は、転写テープを転写対象面に押し付ける機能を発揮するものであればよく、本実施形態に示されるものに限られるものではない。転写端としては、例えば、板面を利用して転写対象面に転写テープを押し付けるようにした板状部材等を挙げることができる。
【００６７】
転写具本体を構成する転写ヘッドは、本実施形態で示されたものには限定されない。例えば、転写物を保持した交換部品であるリフィルに転写ヘッドを設け、そのリフィルと本体ケースによって転写具本体を構成するようにしてもよい。換言すれば、転写具は、上述した実施形態で示したような、転写テープが無くなった場合は以後使用できなくなるいわゆるディスポーザブルタイプのものには限定されるものではない。
【００６８】
案内機構は、カムを利用したものには限られず、種々のものが考えられる。案内機構として、例えば、一端を転写具本体に回動可能に支持させるとともに他端をキャップに回動可能に支持させたリンクを用いるようにしてもよい。
【００６９】
案内機構は、前記転写具本体に突出部を形成し、キャップにその突出部に係わり合う突出部当接部を設けるようにしてもよい。
【００７０】
その他、各部の具体的構成についても上記実施形態に限られるものではなく、本発明の趣旨を逸脱しない範囲で種々変形が可能である。
【符号の説明】
【００７１】
１…転写具本体
２…スライダー
３…キャップ
１２…転写ヘッド
Ｇ…案内機構
（Ｃ）…被覆位置
（Ｕ）…使用位置
【図１】
0006488750.tif 000002
【図２】
0006488750.tif 000003
【図３】
0006488750.tif 000004
【図４】
0006488750.tif 000005
【図５】
0006488750.tif 000006
【図６】
0006488750.tif 000007
【図７】
0006488750.tif 000008
【図８】
0006488750.tif 000009
【図９】
0006488750.tif 000010
【図１０】
0006488750.tif 000011